(57)【要約】【課題】ラックに取り付けて強固に固着させることができるブラケットアセンブリを提供する。【解決手段】ブラケットアセンブリは、ブラケット１０、ベース３０および係合部材４０を備える。ブラケット１０は、サイドパネル１２と、サイドパネル１２から延伸された端板部１４とを有する。ベース３０は、ブラケット１０に固着され、複数の接続アセンブリ３２を有し、複数の接続アセンブリ３２のうちの少なくとも１つは、複数のブラケット孔２４のうちの少なくとも１つに対応する。係合部材４０は、ブラケット１０に枢着され、弾性脚体４２と、延伸されたピッカーアーム４４とを有する。ピッカーアーム４４は、延伸されて折り曲げられた少なくとも１つの係合部４６を有し、係合部４６がブラケット１０の端板部１４から突出されている。【選択図】図１
0003155796.tif 000002
【実用新案登録請求の範囲】
【請求項１】
ブラケット、ベースおよび係合部材を備えるブラケットアセンブリであって、
前記ブラケットは、サイドパネルと、前記サイドパネルから延伸された端板部と、を有し、前記端板部は、複数のブラケット孔を有し、
前記ベースは、前記ブラケットに固着され、複数の接続アセンブリを有し、前記複数の接続アセンブリのうちの少なくとも１つは、前記複数のブラケット孔のうちの少なくとも１つに対応し、
前記係合部材は、前記ブラケットに枢着され、弾性脚体と、延伸されたピッカーアームと、を有し、
前記ピッカーアームは、延伸されて折り曲げられた少なくとも１つの係合部を有し、前記係合部が前記ブラケットの前記端板部から突出され、
前記弾性脚体は、前記係合部に接続された固定端と、前記ブラケットまたは前記ベースに当接される自由端と、を有することを特徴とする、ブラケットアセンブリ。
【請求項２】
前記ブラケットは、１対の枢着耳を有し、
前記係合部材は、互いに離間されるように配置された１対のピボットプレートを有し、
前記１対のピボットプレートは、互いに対応した枢着孔を有し、前記枢着孔に枢着ピンを貫設し、前記ピボットプレートと前記ブラケットの前記枢着耳とを接続させることを特徴とする、請求項１に記載のブラケットアセンブリ。
【請求項３】
前記ブラケットは、前記サイドパネルから延伸された第１の係合部を有し、
前記ブラケットの前記端板部は、１対の第２の係合部を有し、
前記ブラケットの前記第１の係合部および前記第２の係合部は、前記ベースに係合されることを特徴とする、請求項１に記載のブラケットアセンブリ。
【請求項４】
前記ベースの前記接続アセンブリは、ピンと、前記ピン上へ可動可能に外嵌したスリーブと、前記ピンと前記スリーブとの間に配置し、前記スリーブを押す弾性部材と、を有し、
前記スリーブは、前記ピンを収納するために用いる筒孔を有することを特徴とする、請求項１に記載のブラケットアセンブリ。
【請求項５】
前記ベースは、第１の位置規制部および第２の位置規制部を有し、
前記係合部材は、前記ベースの前記第１の位置規制部まで延伸し、前記自由端で当接する前記弾性脚体と、前記ベースの前記第２の位置規制部に対応したストッパ部と、を有することを特徴とする、請求項１に記載のブラケットアセンブリ。
【請求項６】
前記ブラケットは、前記係合部材の前記弾性脚体の前記自由端が当接されるストッパ片を有することを特徴とする、請求項１に記載のブラケットアセンブリ。
【請求項７】
前記係合部材は、ストッパ部を有し、
前記ブラケットは、前記係合部材の前記ストッパ部に対応するように延伸したストッパ片を有することを特徴とする、請求項１に記載のブラケットアセンブリ。
【請求項８】
第１の搭載部材および第２の搭載部材を有する搭載枠体をさらに備え、
前記ブラケットは第１のブラケットと、第２のブラケットとを含み、前記第１のブラケットと前記第２のブラケットは、第１の枠体と第２の枠体をそれぞれ含み、
前記第１の搭載部材は、前記第１の枠体に固着される第１の搭載部を有し、
前記第２の搭載部材は、キャリアを受け、前記第２の枠体に固着され、ストッパ体を有し、
前記第２の枠体は、第１のストッパと、前記第１のストッパと離間されるように配置された第２のストッパと、を有し、
前記ストッパ体は、前記第２の枠体の前記第１のストッパと前記第２のストッパとの間に位置し、当接されることを特徴とする、請求項１に記載のブラケットアセンブリ。
【請求項９】
前記第１の搭載部材および前記第２の搭載部材の断面形状は、それぞれＣ字状であり、背中合わせで接続されることを特徴とする、請求項８に記載のブラケットアセンブリ。
【請求項１０】
ラックは、複数の貫通孔と、少なくとも１対の搭載枠体とをそれぞれ有する複数の支柱を有し、前記搭載枠体のそれぞれは、第１の枠体に接続された第１の搭載部材と、第２の枠体に可動可能に接続された第２の搭載部材と、をそれぞれ有し、前記第１の枠体および前記第２の枠体のそれぞれがブラケットアセンブリに接続された、ラックに用いるブラケットアセンブリであって、
前記ブラケットアセンブリは、ブラケット、ベースおよび係合部材を備え、
前記ブラケットは、複数のブラケット孔を有し、
前記ベースは、前記ブラケットに固着され、複数の接続アセンブリを有し、前記複数の接続アセンブリのうちの少なくとも１つは、前記複数のブラケット孔のうちの少なくとも１つに対応し、
前記係合部材は、前記ブラケットに枢着され、弾性脚体と、係合部材から延伸されたピッカーアームと、を有し、
前記ピッカーアームは、延伸されて折り曲げられた少なくとも１つの係合部を有し、前記係合部が前記ブラケットの端板部から突出され、
前記弾性脚体は、前記係合部に接続された固定端と、前記ブラケットまたは前記ベースに当接される自由端と、を有し、
前記ベースの前記複数の接続アセンブリのうちの少なくとも１つは、前記ラックの前記複数の貫通孔のうちの少なくとも１つに貫設され、
前記ラックの支柱に、前記係合部材の前記ピッカーアームの前記係合部が係合されることを特徴とする、ラックに用いるブラケットアセンブリ。
【考案の詳細な説明】
【技術分野】
【０００１】
本考案は、ブラケットアセンブリに係り、特に、ラックに応用するブラケットアセンブリに関する。
【背景技術】
【０００２】
ラックに用いるブラケットアセンブリの従来技術としては、特許文献１、特許文献２などが開示されている。特許文献２では、２つの弾片を利用し、固着されたラックに応じ、そのうちの１つの弾片の端部をラックの枠体に当接させ、位置決めを行う技術が開示されている。特許文献１では、少なくとも１つの歯部を有するアームを含み、弾性部材の弾力により、ラックの枠体へ歯部を係合させ、位置決めを行う技術が開示されている。
【０００３】
しかし、特許文献１では、ラックの枠体上に係合させ、位置決めを行うために用いる歯部が端部に設けられたアームを有するが、アームの歯部の断面（プレート状物体の厚さ）により、ラックに係合させて位置決めを行う方式しか開示されておらず、一時的な位置決め効果しかなかった。そのため、その歯部断面が有する係合力は十分でなく、特に、ブラケットへ大きな負荷がかかる物を接続させた場合、係合力が十分でなくなる虞があった。
【０００４】
そのため、ラックに取り付けて強固に固着させることができるブラケットアセンブリが求められていた。
【先行技術文献】
【特許文献】
【０００５】
【特許文献１】アメリカ合衆国特許第７３５７３６２号公報
【特許文献２】アメリカ合衆国特許出願公開第２００３／０１０７３０９号公報
【考案の概要】
【考案が解決しようとする課題】
【０００６】
本考案の目的は、ラックに取り付けて強固に固着させることができるブラケットアセンブリを提供することにある。
【課題を解決するための手段】
【０００７】
上記課題を解決するために、本考案の第１の形態によれば、ブラケット、ベースおよび係合部材を備えるブラケットアセンブリであって、前記ブラケットは、サイドパネルと、前記サイドパネルから延伸された端板部と、を有し、前記端板部は、複数のブラケット孔を有し、前記ベースは、前記ブラケットに固着され、複数の接続アセンブリを有し、前記複数の接続アセンブリのうちの少なくとも１つは、前記複数のブラケット孔のうちの少なくとも１つに対応し、前記係合部材は、前記ブラケットに枢着され、弾性脚体と、延伸されたピッカーアームと、を有し、前記ピッカーアームは、延伸されて折り曲げられた少なくとも１つの係合部を有し、前記係合部が前記ブラケットの前記端板部から突出され、前記弾性脚体は、前記係合部に接続された固定端と、前記ブラケットまたは前記ベースに当接される自由端と、を有することを特徴とするブラケットアセンブリが提供される。
【０００８】
前記ブラケットは、１対の枢着耳を有し、前記係合部材は、互いに離間されるように配置された１対のピボットプレートを有し、前記１対のピボットプレートは、互いに対応した枢着孔を有し、前記枢着孔に枢着ピンを貫設し、前記ピボットプレートと前記ブラケットの前記枢着耳とを接続させることが好ましい。
【０００９】
前記ブラケットは、前記サイドパネルから延伸された第１の係合部を有し、前記ブラケットの前記端板部は、１対の第２の係合部を有し、前記ブラケットの前記第１の係合部および前記第２の係合部は、前記ベースに係合されることが好ましい。
【００１０】
前記ベースの前記接続アセンブリは、ピンと、前記ピン上へ可動可能に外嵌したスリーブと、前記ピンと前記スリーブとの間に配置し、前記スリーブを押す弾性部材と、を有し、前記スリーブは、前記ピンを収納するために用いる筒孔を有することが好ましい。
【００１１】
前記ベースは、第１の位置規制部および第２の位置規制部を有し、前記係合部材は、前記ベースの前記第１の位置規制部まで延伸し、前記自由端で当接する前記弾性脚体と、前記ベースの前記第２の位置規制部に対応したストッパ部と、を有することが好ましい。
【００１２】
前記ブラケットは、前記係合部材の前記弾性脚体の前記自由端が当接されるストッパ片を有することが好ましい。
【００１３】
前記係合部材は、ストッパ部を有し、前記ブラケットは、前記係合部材の前記ストッパ部に対応するように延伸したストッパ片を有することが好ましい。
【００１４】
第１の搭載部材および第２の搭載部材を有する搭載枠体をさらに備え、前記第１の搭載部材は、第１の枠体に固着される第１の搭載部を有し、前記第２の搭載部材は、キャリアを受け、第２の枠体に固着され、ストッパ体を有し、前記第２の枠体は、第１のストッパと、前記第１のストッパと離間されるように配置された第２のストッパと、を有し、前記ストッパ体は、前記第２の枠体の前記第１のストッパと前記第２のストッパとの間に位置し、当接されることが好ましい。
【００１５】
前記第１の搭載部材および前記第２の搭載部材の断面形状は、それぞれＣ字状であり、背中合わせで接続されることが好ましい。
【００１６】
本考案の第２の形態によれば、ラックは、複数の貫通孔と、少なくとも１対の搭載枠体とをそれぞれ有する複数の支柱を有し、前記搭載枠体のそれぞれは、第１の枠体に接続された第１の搭載部材と、第２の枠体に可動可能に接続された第２の搭載部材と、を有し、前記第１の枠体および前記第２の枠体のそれぞれがブラケットアセンブリに接続された、ラックに用いるブラケットアセンブリであって、前記ブラケットアセンブリは、ブラケット、ベースおよび係合部材を備え、前記ブラケットは、複数のブラケット孔を有し、前記ベースは、前記ブラケットに固着され、複数の接続アセンブリを有し、前記複数の接続アセンブリのうちの少なくとも１つは、前記複数のブラケット孔のうちの少なくとも１つに対応し、前記係合部材は、前記ブラケットに枢着され、弾性脚体と、係合部材から延伸されたピッカーアームと、を有し、前記ピッカーアームは、延伸されて折り曲げられた少なくとも１つの係合部を有し、前記係合部が前記ブラケットの端板部から突出され、前記弾性脚体は、前記係合部に接続された固定端と、前記ブラケットまたは前記ベースに当接される自由端と、を有し、前記ベースの前記複数の接続アセンブリのうちの少なくとも１つは、前記ラックの前記複数の貫通孔のうちの少なくとも１つに貫設され、前記ラックの支柱に、前記係合部材の前記ピッカーアームの前記係合部が係合されることを特徴とするラックに用いるブラケットアセンブリが提供される。
【考案の効果】
【００１７】
本考案のブラケットアセンブリは、ラックに取り付けて強固に固着させることができる。
【図面の簡単な説明】
【００１８】
【図１】本考案の一実施形態によるブラケットアセンブリを示す分解斜視図である。
【図２】本考案の一実施形態によるブラケットアセンブリを示す斜視図である。
【図３】本考案の一実施形態による前部ブラケットの構造を示す斜視図である。
【図４】本考案の一実施形態による後部ブラケットの構造を示す斜視図である。
【図５】本考案の一実施形態による前部ブラケットおよび搭載枠体を示す分解斜視図である。
【図６】本考案の一実施形態による後部ブラケットと搭載枠体とを組み合わせたときの状態を示す斜視図である。
【図７】本考案の一実施形態によるブラケットアセンブリにラックを組み合わせたときの状態を示す斜視図である。
【図８】本考案の一実施形態による前部ブラケットとラックとを方形状の貫通孔により組み合わせたときの状態を示す斜視図である。
【図９】本考案の一実施形態による後部ブラケットとラックとを組み合わせたときの状態を示す斜視図である。
【図１０】本考案の一実施形態によるベースの接続アセンブリを示す分解斜視図である。
【図１１】本考案の一実施形態によるベースとブラケットとを組み合わせたときの状態を示す斜視図である。
【図１２】本考案の一実施形態によるベースの接続アセンブリとラックとを円形状の貫通孔により組み合わせたときの状態を示す斜視図である。
【図１３】本考案の他の実施形態によるブラケットへ係合部材の弾性脚体を当接させたときの状態を示す斜視図である。
【図１４】本考案の他の実施形態によるブラケットおよび係合部材を示す分解斜視図である。
【図１５】本考案の他の実施形態によるブラケットを組み立てたときの状態を示す斜視図である。
【図１６】本考案の一実施形態によるブラケットの第１の態様を示す断面図である。
【図１７】本考案の一実施形態によるブラケットの第２の態様を示す断面図である。
【図１８】本考案の一実施形態によるブラケットとラックとを組み合わせたときの状態を示す斜視図である。
【考案を実施するための形態】
【００１９】
以下、本考案の実施形態について図に基づいて説明する。なお、これによって本考案が限定されるものではない。
【００２０】
図１を参照する。図１は、本考案の一実施形態によるブラケットアセンブリを示す分解斜視図である。図１に示すように、ブラケット１０は、サイドパネル１２と、サイドパネル１２から延伸した端板部１４と、を含む。サイドパネル１２は、１対の枢着耳１６と、１対の枢着耳１６に貫設される枢着ピン１８と、サイドパネル１２から延伸された第１の係合部２０と、を含む（図２に示す）。端板部１４は、１対の第２の係合部２２および複数のブラケット孔２４を含む。本実施形態のブラケット孔２４は、方形状の孔および円形状の孔を含む。図３および図４に示すように、ブラケット１０は、第１のブラケット１０ａおよび第２のブラケット１０ｂを含んでもよい。第１のブラケット１０ａおよび第２のブラケット１０ｂの構成配置は、ブラケット１０と略同じである。
【００２１】
ベース３０は、ブラケット１０へ強固に固着させるために用い、複数のブラケット孔２４に対応するように設けられた複数の接続アセンブリ３２を有する。複数の接続アセンブリ３２のうちの少なくとも１つは、複数のブラケット孔２４のうちの少なくとも１つに対応する。また、ベース３０は、第１の位置規制部３４および第２の位置規制部３９を有する。図２に示すように、本実施形態では、ブラケット１０の第１の係合部２０および第２の係合部２２により、ベース３０をブラケット１０上に係合させて固着し、位置決めを強固に行う。本実施形態の第２の位置規制部３９および第１の位置規制部３４は、それぞれ突出部である。
【００２２】
係合部材４０は、弾性脚体４２と、係合部材４０から延伸されたピッカーアーム４４と、ストッパ部４９と、を含み、ブラケット１０に枢着される。弾性脚体４２は、係合部材４０に接続された固定端４３と、自由端４５と、を含む。ピッカーアーム４４は、延伸されて端部が折り曲げられた少なくとも１つの係合部４６を有する。係合部４６は、弾性脚体４２の弾力により、初期位置に復元される。図２に示すように、ストッパ部４９は、ベース３０の第２の位置規制部３９に対応した位置に設けられ、ピッカーアーム４４の操作角度を制限するために用いる。本実施形態の弾性脚体４２は、係合部材４０から延伸された部分で構成されたり、係合部材４０に接続された弾性部材で構成されたりしてもよい。本実施形態の係合部材４０は、互いに離間されるように配置された１対のピボットプレート４８を含む。１対のピボットプレート４８は、対応した枢着孔５０を有し、１対のピボットプレート４８と、ブラケット１０の枢着耳１６とを互いに対応するように配置させ、枢着ピン１８により、１対のピボットプレート４８と、ブラケット１０の枢着耳１６とを接続させると、ブラケット１０に係合部材４０を可動可能に枢着させることができる。本実施形態では、係合部材４０の弾性脚体４２の自由端４５をベース３０の第１の位置規制部３４まで延伸して当接し、弾性脚体４２の弾力を用いて係合部材４０のピッカーアーム４４を係合させることができる。本実施形態のストッパ部４９は突出部である。
【００２３】
図３を参照する。図３は、本考案の一実施形態による前部ブラケットの構造を示す斜視図である。本実施形態の第１のブラケット１０ａは、第１の枠体６０を含む。第１の枠体６０は、複数の固定孔６２を有し、第１のブラケット１０ａのサイドパネル１２は、第１の枠体６０から延伸されている。第１のブラケット１０ａは、前部ブラケットとして用いることができる。
【００２４】
図４を参照する。図４は、本考案の一実施形態による後部ブラケットの構造を示す斜視図である。本実施形態の第２のブラケット１０ｂは、第２の枠体６４を含む。第２の枠体６４は、第１のストッパ６６と、第１のストッパ６６から離間された第２のストッパ６８と、を有する。第２のブラケット１０ｂのサイドパネル１２は、第２の枠体６４から延伸されている。第２のブラケット１０ｂは、後部ブラケットとして用いることができる。
【００２５】
図５を参照する。図５は、本考案の一実施形態による第１のブラケット１０ａ（前部ブラケット）および搭載枠体７０を示す分解斜視図である。本実施形態の搭載枠体７０は、第１の搭載部材７２および第２の搭載部材７４を含む。第１の搭載部材７２は、第１の搭載部を有する。第１の搭載部は、第１の枠体６０の複数の固定孔６２に対応した位置に、第１の枠体６０に固着（例えば、カシメ固定）させるために用いる複数の固定体７６を含む。第２のブラケット１０ｂ（後部ブラケット）は、第２の枠体６４により、搭載枠体７０の第２の搭載部材７４へ可動可能に接続させる（図６に示す）。本実施形態の搭載枠体７０の第２の搭載部材７４は、ストッパ体７８を有する。ストッパ体７８は、第２の枠体６４の第１のストッパ６６および第２のストッパ６８をストッパ体７８に当接させ、搭載枠体７０の第２の搭載部材７４に対し、第２の枠体６４が変位移動できる範囲を制限するために用いる。本実施形態の第１の搭載部材７２および第２の搭載部材７４の断面形状は、それぞれＣ字状であり、背中合わせで接続されている。本実施形態の第１の搭載部材７２は、キャリア８２を搭載して固定するために用いる（図７に示す）。
【００２６】
図７を再び参照する。図７は、本考案の一実施形態によるブラケットアセンブリにラック８４を組み合わせたときの状態を示す斜視図である。ラック８４は、複数の貫通孔８８がそれぞれ設けられた複数の支柱８６を含む。本実施形態の貫通孔８８は方形状であるが、他の実施形態では円形状にしてもよい。実際に組み立てる際、ブラケットアセンブリは、キャリア８２を受けるために用いる少なくとも１対の搭載枠体７０を含む。各搭載枠体７０は、第１のブラケット１０ａの第１の枠体６０および第２のブラケット１０ｂの第２の枠体６４にそれぞれ固定された第１の搭載部材７２および第２の搭載部材７４を含む。さらに、第１のブラケット１０ａを前部ブラケットとして用い、ラック８４の支柱８６に設けた貫通孔８８に、ベース３０の接続アセンブリ３２を貫設させ、係合部材４０の弾性脚体４２をベース３０に当接させることにより、係合部材４０のピッカーアーム４４が、弾力により弾性脚体４２に係合され、ピッカーアーム４４の端部に設けられた係合部４６は、弾力によりラック８４の支柱８６に係合される。さらに、第２のブラケット１０ｂを後部ブラケットとして用いることにより、ラック８４の支柱８６に設けた貫通孔８８に、ベース３０の接続アセンブリ３２を貫設させ、係合部材４０の弾性脚体４２をベース３０に当接し、係合部材４０のピッカーアーム４４を弾力により弾性脚体４２に係合させることができる。これにより、ピッカーアーム４４の端部に設けられた係合部４６は、弾力によりラック８４の支柱８６上に固定し続けることができる（図９に示す）。上述の構成によりブラケットアセンブリの１つの辺が完成される。
【００２７】
図１０および図１１を参照する。図１０は、本考案の一実施形態によるベース３０の接続アセンブリ３２を示す分解斜視図である。図１１は、本考案の一実施形態によるベースとブラケットとを組み合わせたときの状態を示す斜視図である。各接続アセンブリ３２は、ピン３５と、ピン３５上に可動可能に外嵌され、ブラケット１０のブラケット孔２４に貫設されるスリーブ３７と、ピン３５とスリーブ３７との間に配置し、スリーブ３７を押す弾性部材３６と、を含む。スリーブ３７は、ピン３５を収納するために用いる筒孔３８を有し（図１０に示す）、ブラケット１０に設けられたブラケット孔２４の位置に対応し、ベース３０上で変位移動することができる。本実施形態のピン３５およびスリーブ３７は、円柱形状および立方形状の組み合わせで構成し、ラック８４の支柱８６に設けた複数の貫通孔８８の形状に対応するように固着させてもよい。図８を再び参照する。図８に示すように、ラック８４の支柱８６に設けた方形状の貫通孔８８へ方形状のスリーブ３７を貫設させ、位置決めを行う。図１２を参照する。図１２に示すように、ラック８４の支柱８６に設けた複数の貫通孔８８に、ピン３５を貫設させて位置決めを行う。これにより、ベース３０の複数の接続アセンブリ３２は、ラック８４の支柱８６に設けられた貫通孔８８の形状に対応するように、固着させることができる。
【００２８】
図１３を参照する。図１３に示すように、係合部材４０上の弾性脚体４２の端部は、ブラケット１０に当接される。本実施形態において、ブラケット１０は、係合部材４０の弾性脚体４２の端部が当接されるストッパ片１１を有し、弾性脚体４２の弾力により係合部材４０を初期位置まで復元させる。本実施形態のブラケット１０のストッパ片１１は、係合部材４０のストッパ部４９に対応するように延伸されているため、係合部材４０のピッカーアーム４４の操作角度が制限される。
【００２９】
図１４を参照する。図１４は、本考案の他の実施形態によるブラケットおよび係合部材を示す分解斜視図である。図１４に示すように、ブラケット１０は、サイドパネル１２と、サイドパネル１２から延伸された端板部１４と、を含む。サイドパネル１２は、１対の枢着耳１６と、１対の枢着耳１６に貫設される枢着ピン１８と、を含む。端板部１４は、複数のブラケット孔２４を含む。本実施形態のブラケットアセンブリは、複数の接続アセンブリ３２を含む。複数の接続アセンブリ３２のうちの少なくとも１つは、複数のブラケット孔２４のうちの少なくとも１つに対応するように強固に固着される（図１５に示す）。本実施形態の係合部材４０は、弾性脚体４２と、係合部材４０から延伸されたピッカーアーム４４とを含み、ブラケット１０のサイドパネル１２に枢着される。ピッカーアーム４４は、弾性脚体４２の弾力により、初期位置まで復元する少なくとも１つの係合部４６を有する。弾性脚体４２は、係合部材４０に接続された固定端４３と、自由端４５とを含む。自由端４５は、ブラケット１０に当接される。本実施形態のブラケット１０の１対の枢着耳１６間には開孔部１７が設けられている。係合部材４０は、互いに離間されるように配置される１対のピボットプレート４８を含む。互いに対応するように設けられた枢着孔５０を有する１対のピボットプレート４８は、開孔部１７に配置され、１対のピボットプレート４８およびブラケット１０の枢着耳１６に枢着ピン１８を貫設させて接続する。本実施形態の係合部材４０の係合部４６は、ピッカーアーム４４の端部から延伸されて折り曲げられ、ブラケット１０の端板部１４から突出され、端板部１４と間隔Ｄで離されている（図１６に示す）。本実施形態のブラケット１０のサイドパネル１２は、第１の側部１２ａおよび第２の側部１２ｂを含む。第１の側部１２ａおよび第２の側部１２ｂには、開孔部１７が穿設され、係合部材４０の弾性脚体４２を開孔部１７に貫設させて第２の側部１２ｂへ当接し、弾性脚体４２の弾力により係合部材４０を初期位置まで復元させる。本実施形態の弾性脚体４２は、係合部材４０の一部により形成されているが、他の実施形態では、係合部材４０に設けた固定部４１により固定された固定端４３を有する分離された弾性脚体４２で構成してもよい（図１７に示す）。
【００３０】
図１８を参照する。図１８は、本考案の一実施形態によるブラケットとラックとを組み合わせたときの状態を示す斜視図である。本実施形態のブラケット１０は、上述の実施形態と同様に、ラック８４の支柱８６に設けられた貫通孔８８に接続アセンブリ３２を貫設し、ブラケット１０のサイドパネル１２の第２の側部１２ｂに係合部材４０の弾性脚体４２を当接し（図１６および図１７に示す）、弾力により係合部材４０のピッカーアーム４４の端部に設けた係合部４６を、ラック８４の支柱８６へ係合する。このように、係合部４６と端板部１４とで支柱８６に固着し、支柱８６へブラケット１０を強力に固定させることができる。
【００３１】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００３２】
１０          ブラケット
１０ａ        第１のブラケット
１０ｂ        第２のブラケット
１１          ストッパ片
１２          サイドパネル
１２ａ        第１の側部
１２ｂ        第２の側部
１４          端板部
１６          枢着耳
１７          開孔部
１８          枢着ピン
２０          第１の係合部
２２          第２の係合部
２４          ブラケット孔
３０          ベース
３２          接続アセンブリ
３４          第１の位置規制部
３５          ピン
３６          弾性部材
３７          スリーブ
３８          筒孔
３９          第２の位置規制部
４０          係合部材
４１          固定部
４２          弾性脚体
４３          固定端
４４          ピッカーアーム
４５          自由端
４６          係合部
４８          ピボットプレート
４９          ストッパ部
５０          枢着孔
６０          第１の枠体
６２          固定孔
６４          第２の枠体
６６          第１のストッパ
６８          第２のストッパ
７０          搭載枠体
７２          第１の搭載部材
７４          第２の搭載部材
７６          固定体
７８          ストッパ体
８２          キャリア
８４          ラック
８６          支柱
８８          貫通孔
【図１】
0003155796.tif 000003
【図２】
0003155796.tif 000004
【図３】
0003155796.tif 000005
【図４】
0003155796.tif 000006
【図５】
0003155796.tif 000007
【図６】
0003155796.tif 000008
【図７】
0003155796.tif 000009
【図８】
0003155796.tif 000010
【図９】
0003155796.tif 000011
【図１０】
0003155796.tif 000012
【図１１】
0003155796.tif 000013
【図１２】
0003155796.tif 000014
【図１３】
0003155796.tif 000015
【図１４】
0003155796.tif 000016
【図１５】
0003155796.tif 000017
【図１６】
0003155796.tif 000018
【図１７】
0003155796.tif 000019
【図１８】
0003155796.tif 000020